(57)【要約】【課題】混合弁より下流の湯水の流量によって、混合弁を制御することにより、混合弁における湯温のオーバーシュートおよびアンダーシュートを抑制することができる貯湯式温水器を提供すること。【解決手段】湯水を貯える貯湯タンク１と、湯水をミスト状に噴出するミスト発生装置９と、貯湯タンク１の湯水を供給する給湯端末８と、貯湯タンク１の天部より高温水を出湯する出湯管３と、給水源から水を供給する給水管７０と、出湯管１と給水管７０とを接続し湯水を混合する湯水混合弁５と、給湯端末８と湯水混合弁５とを接続する給湯管７１と、給湯管７１を流通する湯水の流量を検知する流量検知手段４４と、湯水混合弁５を制御する制御手段とを備え、給湯管７１から分岐させてミスト発生装置９に湯を供給すると共に、流量検知手段４４で検知する値に基づいて、湯水混合弁５の駆動速度を制御するモードを変更する。【選択図】図１
2008089274.tif 000002
【特許請求の範囲】
【請求項１】
湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁の駆動速度を制御するモードを変更することを特徴とする貯湯式温水器。
【請求項２】
湯水混合弁の下流に湯温検出手段と、給湯端末から出湯する湯の温度を設定する湯温設定手段とを備え、前記湯水混合弁を制御するモードは、前記湯温検出手段で検出される値と、前記湯温設定手段で設定した値に基づいた複数の段階を有することを特徴とする請求項１に記載の貯湯式温水器。
【請求項３】
湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁を予め定められた開度に変更することを特徴とする貯湯式温水器。
【請求項４】
流量検出手段で検出する値が所定の値以下の場合は、ミスト発生装置へと湯水を供給してると制御手段が判断し、前記流量検出手段で検出する流量が所定の値以下である状態が所定時間継続すると、前記制御手段が異常であると判断することを特徴とする請求項１〜３のいずれか１項に記載の貯湯式温水器。
【請求項５】
制御手段が異常であると判断するとともに、湯水混合弁を水側に全開になるように制御することを特徴とする請求項４に記載の貯湯式温水器。
【発明の詳細な説明】
【技術分野】
【０００１】
本発明は、ミスト発生装置を有した貯湯式温水器に関する。
【背景技術】
【０００２】
従来のミスト発生装置は、水と湯とを適温に混合し、ミスト状に湯水を噴出するものであった（例えば、特許文献１参照）。
【０００３】
図５は、従来のミスト発生装置の構成を示すものである。図５において、給水源１０１から給湯装置１０２に水が供給され、給湯装置１０２から湯が供給される。給湯装置１０２から出湯された湯は、混合弁１０３にて水と混合される。適温に混合された湯は、ミスト発生装置１０４からミスト状に噴出される。
【特許文献１】特開２００５−３４２０８７号公報
【発明の開示】
【発明が解決しようとする課題】
【０００４】
しかしながら、従来の構成では、混合弁より下流側の流量によって、混合弁の開度を制御するものではない。そのため、使用状況によって混合弁より下流側における湯水の流量が変化することにより、貯湯タンクから出湯する湯の圧力と、給水源から給水される水の圧力との混合弁におけるバランスが崩れ、その結果、混合弁から出湯する湯の温度が、設定温度から上下に変動することに起因して、給湯端末もしくはミスト発生装置へと給湯する湯の温度がオーバーシュートもしくはアンダーシュートしてしまう現象が発生してしまう。
【０００５】
本発明は、前記従来の課題を解決するもので、混合弁より下流の湯水の流量によって、混合弁を制御することにより、混合弁における湯温のオーバーシュートおよびアンダーシュートを抑制することができる貯湯式温水器を提供することを目的とする。
【課題を解決するための手段】
【０００６】
前記従来の課題を解決するために、本発明の貯湯式温水器は、湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁の駆動速度を制御するモードを変更することにより、混合弁より下流の流量に基づいた混合弁の駆動速度を選択するので、その状況に合わせて最適な駆動速度で制御でき、長時間オーバーシュート現象およびアンダーシュート現象が継続することを防止することができる。
【０００７】
また、本発明の貯湯式温水器は、湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁を予め定め
られた開度に変更することにより、その状況に合わせて駆動しやすい最適な開度を選択するので、長時間オーバーシュート現象およびアンダーシュート現象が継続することを防止することができる。
【発明の効果】
【０００８】
本発明は、混合弁より下流の湯水の流量によって、混合弁を制御することにより、混合弁における湯温のオーバーシュートおよびアンダーシュートを抑制することができる貯湯式温水器を提供することができる。
【発明を実施するための最良の形態】
【０００９】
第１の発明の貯湯式温水器は、湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁の駆動速度を制御するモードを変更することにより、使用状況に合わせた混合弁の駆動速度を有するモードを選択することができるので、長時間オーバーシュート現象およびアンダーシュート現象が継続することを抑制することができる。
【００１０】
第２の発明の貯湯式温水器は、特に第１の発明において、湯水混合弁の下流に湯温検出手段と、給湯端末から出湯する湯の温度を設定する湯温設定手段とを備え、前記湯水混合弁を制御するモードは、前記湯温検出手段で検出される値と、前記湯温設定手段で設定した値に基づいた複数の段階を有することにより、さらに細かく駆動速度を制御することができ、よりオーバーシュート現象およびアンダーシュート現象が継続することを抑制することができる。
【００１１】
第３の発明の貯湯式温水器は、湯水を貯える貯湯タンクと、湯水をミスト状に噴出するミスト発生装置と、前記貯湯タンクの湯水を供給する給湯端末と、前記貯湯タンクの天部より高温水を出湯する出湯管と、給水源から水を供給する給水管と、前記出湯管と前記給水管とを接続し湯水を混合する湯水混合弁と、前記給湯端末と前記湯水混合弁とを接続する給湯管と、前記給湯管を流通する湯水の流量を検知する流量検知手段と、前記湯水混合弁を制御する制御手段とを備え、前記給湯管から分岐させて前記ミスト発生装置に湯を供給すると共に、前記流量検知手段で検知する値に基づいて、前記湯水混合弁を予め定められた開度に変更することにより、使用状況にあわせた混合弁の開度を選択し、その開度になるように制御することができるので、長時間オーバーシュート現象およびアンダーシュート現象が継続することを抑制することができる。
【００１２】
第４の発明の貯湯式温水器は、特に第１〜第３の発明において、流量検出手段で検出する値が所定の値以下の場合は、ミスト発生装置へと湯水を供給してると制御手段が判断し、前記流量検出手段で検出する流量が所定の値以下である状態が所定時間継続すると、前記制御手段が異常であると判断することにより、ミスト発生装置もしくは給湯端末での湯水の止め忘れても、異常を報知するので、貯湯タンク内の湯水を無駄に消費することを防止することができ、無駄な水やエネルギーの消費を抑えることができる。
【００１３】
第５の発明の貯湯式温水器は、特に第４の発明において、制御手段が異常であると判断するとともに、湯水混合弁を水側に全開になるように制御することにより、ミスト発生装置または給湯端末には水しか供給されず、異常時において貯湯タンクからの高温水の流出を防ぐことができる。
【００１４】
以下、本発明の実施の形態について、図面を参照しながら説明する。なお、この実施の形態によって本発明が限定されるものではない。
【００１５】
（実施の形態１）
図１は、本実施の形態における貯湯式温水器の構成図である。実線矢印は湯水の流通方向を示し、点線矢印は通信を示している。図１において、貯湯タンク１には、ヒートポンプや電気ヒーターなどで加熱された湯が貯えられる。本実施の形態では、ヒートポンプ２によって加熱を行い、貯湯タンク１に湯を貯えているが、本実施の形態に限定されることがなく、電気ヒーターなどで貯湯タンク１内の湯を加熱してもよい。
【００１６】
本実施の形態において、ヒートポンプ２は、水冷媒熱交換器２１、圧縮機２２、蒸発器２４、膨張弁２３を冷媒配管により順次環状に接続して構成されており、冷媒には二酸化炭素を使用しているため、高圧側が臨界圧力を超えるので、水冷媒熱交換器２１を流通する水に熱を奪われて温度が低下しても凝縮することがなく、水冷媒熱交換器で冷媒と水との間で温度差を形成しやすくなり、高温の湯が得られ、かつ熱交換効率を高くすることができる。また、比較的安価でかつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００１７】
また、ヒートポンプ２において、圧縮機２２で冷媒が圧縮され、圧縮機２２から吐出された冷媒が水冷媒熱交換器２１で放熱し、膨張弁２３で減圧されたあと、蒸発器２４で空気から熱を吸収し、ガス状態で再び圧縮機２２に吸入される。なお、圧縮機の能力制御および膨張弁２３の開度制御は、圧縮機２２の吐出側に設けたサーミスタ（図示せず）で検出される吐出冷媒の温度が予め設定された温度を維持するように制御される。また、貯湯タンク１内の湯水は、水ポンプ２５が作動することで、水冷媒熱交換器２１に流入し、冷媒と熱交換を行い、再び貯湯タンク１に戻り、積層状態で貯湯タンク１の上部に高温の湯が貯えられる。
【００１８】
一方、給湯端末や浴槽、ミスト発生装置への出湯に伴い、貯湯タンク１の下部に給水管７０が接続され、給水されると共に、貯湯タンク１の上方部に配設された出湯管３から高温の湯が出湯され、電動式混合弁４（風呂湯温制御手段）、電動式混合弁５（給湯端末湯温制御手段）にて水と適温に混合される。本実施の形態１においては、電動式混合弁４で混合された湯水は浴槽７へ、電動式混合弁５で混合された湯水は給湯端末（蛇口）８およびミスト発生装置９へ供給される。本実施の形態においては、電動式混合弁を用いたが、ワックスサーモ混合弁を用いて出力温度を一定にした構成にしてもよい。
【００１９】
また、水冷媒熱交換器２１から貯湯タンク１に高温の湯として戻される戻り口５１は、出湯管３とは別に設けてあり、このように構成することでミスト発生装置もしくはミスト発生装置以外の部位へ湯水を供給しながら、貯湯タンク１内の湯を沸き上げることができる。１つの熱源からミスト発生装置以外の部位に加えて、ミスト発生装置へ湯水を供給することで湯切れが発生しやすくなるが、このように構成することで、ミスト発生装置へ湯水を供給してもなお、湯切れの心配がない。以下、それぞれの装置への出湯回路の構成について説明する。
【００２０】
浴槽７と電動式混合弁４の間には、貯湯タンク１から供給される湯水の停止を行う二方向の電磁弁４１（風呂回路遮断手段）と、浴槽７へ供給される湯水の流量を検出する流量検出装置４２（風呂流量検出手段）と、浴槽７へ供給される湯水の温度を検出するサーミスタ４３（風呂湯温検出手段）を設けており、サーミスタ４３の検出値に基づいて電動式
混合弁４の制御を行う。
【００２１】
また、給湯端末（蛇口）８およびミスト発生装置９と電動式混合弁５の間には、貯湯タンク１から供給される湯水の流量を検出する流量検出装置４４（給湯端末流量検出手段）と、給湯端末（蛇口）８へ供給される湯水の温度を検出するサーミスタ４５（給湯端末湯温検出手段）を設けており、サーミスタ４５の検出値に基づいて電動式混合弁５の制御を行う。またミスト発生装置９へは、給湯端末（蛇口）８へ湯水を供給する給湯管７１から分岐した配管７２を通って湯が供給される。
【００２２】
また、本実施の形態において、ミスト発生装置９を制御する制御手段３１とリモコン１０とを通信するミスト通信手段１１と、浴槽７を制御する制御手段３０とリモコン１０とを通信する浴槽通信手段１２と、給湯端末（蛇口）８を制御する制御手段３０とリモコン１０とを通信する給湯端末通信手段１３を有している。また、本実施の形態では、リモコン１０内に配設されているマイクロコンピュータ（図示せず）が、ミスト通信手段１１、浴槽通信手段１２、給湯端末通信手段１３の各通信手段をモジュールとして有している。
【００２３】
以下、浴槽７、給湯端末（蛇口）８、ミスト発生装置９への出湯について説明する。
【００２４】
ユーザーは、浴室内に設置されたリモコン１０で、所望の浴槽への湯張り量、湯張り温度を設定し、それぞれの設定値をリモコン１０から浴槽への湯張りを制御する制御手段３０へと浴槽通信手段１２を通じて送信することで、浴槽への自動湯張りができる。
【００２５】
また、給湯端末（蛇口）８から出湯させたい時には、リモコン１０で所望の給湯温度を設定し、リモコン１０から給湯端末（蛇口）８の出湯温度を制御する制御手段３０へと給湯端末通信手段１３を通じて送信することにより、給湯端末（蛇口）８から出湯することができる。
【００２６】
ミスト発生装置９は、貯湯タンク１から供給される湯水を、浴室内にミスト状に噴出させる装置であり、浴室内でのサウナ浴を実現することができる。リモコン１０には、ミスト発生装置９の起動／停止のみならず、ミスト発生動作の詳細な設定（例えば、風量や温度など）も設定できる構成となっており、リモコン１０からミスト発生装置９を制御する制御手段３１へとミスト通信手段１１を通じて送信することにより、ミスト発生装置を操作することができる。このようにサウナ浴の設定は、年齢、性別などにより個人差が大きく、リモコン１０で各人が所望の設定に切り替えられるのは非常に利便性がよい。
【００２７】
本実施の形態では、制御手段３０、制御手段３１にはマイクロコンピュータを用いており、浴槽および給湯端末を制御する制御手段３０と、ミスト発生装置を制御する制御手段３１とに分けているが、これに限定されることはなく、例えば、図２に示すように、１つのマイクロコンピュータ３２でそれぞれの給湯機器を制御しても問題はない。また、リモコン１０には、制御手段３０および制御手段３１からの指令で情報を表示したり、音声を発生する構成としているので、ユーザーが理解しやすいリモコンとなっている。
【００２８】
次に、ミスト発生装置９および給湯端末（蛇口）８の使用時の流量制御について説明する。
【００２９】
まず、ユーザーはミストを開始する時には、リモコン１０に配設されているミストボタンを押すことでミスト運転を開始する。ミストボタンが押されることで、制御手段３１はミスト発生装置９に湯水をミスト状に噴出することを命令する。ミスト発生装置９が運転を始めると、サーミスタ４５（給湯端末湯温検出手段）の検出値に基づいて電動式混合弁５（給湯端末湯温制御手段）が制御され、電動式混合弁５（給湯端末湯温制御手段）の開
度を調節している。
【００３０】
一方、給湯端末（蛇口）８の使用に伴い、給湯端末（蛇口）８から出湯されると、サーミスタ４５（給湯端末湯温検出手段の検出値に基づいて電動式混合弁５（給湯端末湯温制御手段）が制御され、電動式混合弁５（給湯端末湯温制御手段）の開度を調節している。
【００３１】
また、給湯端末（蛇口）８およびミスト発生装置９の両方から出湯されると、本実施の形態では、ミスト発生装置９の設定温度に合わせて、サーミスタ４５（給湯端末湯温検出手段）の検出値に基づいて電動式混合弁５（給湯端末湯温制御手段）が制御され、電動式混合弁５（給湯端末湯温制御手段）の開度を調節している。給湯端末（蛇口）８には、ミスト発生装置９の設定温度の湯が供給されるが、給湯端末（蛇口）８において混合栓で給水源からの水と混合できる構成とすることで、所望の温度にした後、給湯端末８から出湯される。
【００３２】
上記のように構成された貯湯式温水器で、給湯端末８およびミスト発生装置９へと供給される湯水の流量が変化したときには、電動式混合弁５にて混合される湯の圧力と、水の圧力のバランスが崩れ、サーミスタ４５で検出される温度と、リモコン１０で設定した温度に差が生じる。設定温度以上になってしまう現象をオーバーシュート現象といい、設定温度以下になってしまう現象をアンダーシュート現象という。この現象は、そもそも電動式混合弁５に供給される湯の圧力と、給水源からの水の圧力とが同じでないため、流量変化が起きると、電動式混合弁５における湯と水の圧力のバランスが崩れてしまうためにおきるものである。
【００３３】
次に、電動式混合弁５の開度の制御について説明する。本実施の形態では、流量検出装置４４（給湯端末流量検出手段）である流量センサで検出された流量の合計が、１Ｌ／ｍｉｎ未満を検出した場合には、ミスト発生装置９のみへ湯を送っていると判断し、ミスト制御となる。一方、流量検出装置４４（給湯端末流量検出手段）の合計が、１Ｌ／ｍｉｎ以上を検出した場合には、給湯端末（蛇口）８に湯を供給していると判断し、給湯制御となる。
【００３４】
図３は、流量検出装置４４で検出された流量に基づいた混合弁の駆動速度を示した図である。図３における温度偏差とは、リモコン１０にて設定した給湯端末の設定温度と、サーミスタ４５（給湯端末湯温検出手段）で実際に検出された温度との絶対値であり、例えば、設定温度が４０℃で、サーミスタ４５で検出された温度が３５℃の時には、温度偏差は５℃となる。また、図３に示すＰＰＳとは、Ｐｕｌｓｅ／Ｓｅｃｏｎｄを表しており、１秒当たりの駆動速度を示している。
【００３５】
図３に示すように、流量検出装置４４が検出する流量が１Ｌ／ｍｉｎ未満の場合には、低流量であるので、ミスト発生装置９のみへ湯を供給していると判断し、低流量モードを選択し、さらに現在の温度偏差を算出することにより、複数ある段階から１つの段階を選択し、該当する駆動速度で電動式混合弁５を制御する。
【００３６】
また、流量検出装置４４が検出する流量が１Ｌ／ｍｉｎ以上、４Ｌ／ｍｉｎ未満の場合には、比較的流量があるので、給湯端末８に湯を供給していると判断し、中流量モードを選択し、さらに現在の温度偏差を算出することにより、複数ある段階から１つの段階を選択し、該当する駆動速度で電動式混合弁５を制御する。
【００３７】
また、流量検出装置４４が検出する流量が４Ｌ／ｍｉｎ以上の場合にも給湯端末８に湯を供給していると判断し、高流量モードを選択し、さらに現在の温度偏差を算出することにより、複数ある段階から１つの段階を選択し、該当する駆動速度で電動式混合弁５を制
御する。
【００３８】
つまり、図３に示すように、流量が高ければ高いほど、ユーザーに貯湯タンク１から供給される時間は短いので、流量が低い時に比べてより速い駆動速度で混合弁を動作させる必要があり、また、温度偏差が大きければ大きいほど、より速く設定温度とサーミスタ４５で検出される値との差を縮めなければならないので、温度偏差が小さいときに比べてより速い駆動速度で混合弁を動作させる必要がある。なお、図２に示す駆動速度は予め定められた実験値であり、状況に応じて変更することができる。
【００３９】
また、流量検出装置４４が検出する流量が１Ｌ／ｍｉｎ以下で、かつ６０分間連続して検出した場合には、異常と判断し、リモコン１０の表示画面に、例えば、「水漏れ発生異常」や「蛇口の閉め忘れです」などの表示を行うことにより、ユーザーに注意を促すことができ、さらにブザーなどの報知音を同時に発生させることによって効果的にユーザーに知らせることができる。また、このような時には、電動式混合弁５の開度を水側に全開にするように制御することにより、貯湯タンク１から高温水の出湯を防止することができるので、ひいては湯切れの発生を防止することができる。
【００４０】
以上のように、流量に応じた駆動速度で混合弁を制御することにより、オーバーシュート現象またはアンダーシュート現象の継続時間を最小にすることができ、より快適な温度制御を行うことができる。
【００４１】
（実施の形態２）
図１は、本実施の形態における貯湯式温水器の構成図である。なお、実施の形態１と同じ部分については同じ符号を付して、その説明を省略する。また貯湯式温水器の構成についても、実施の形態１と同様であるので、その説明を省略する。本実施の形態は、電動式混合弁５の制御方法が、実施の形態１と相違するので、以下、電動式混合弁５の制御方法について説明する。
【００４２】
図４は、流量検出装置４４で検出された流量に基づいた混合弁の駆動比率を示した図である。図４において、流量検出装置４４で検出される流量に基づいて、高流量・中流量・低流量となっており、流量の合計が１Ｌ／ｍｉｎ未満の場合には高流量、流量の合計が１Ｌ／ｍｉｎ以上１０Ｌ／ｍｉｎ未満の場合には中流量、流量の合計が１０Ｌ／ｍｉｎ以上の場合には低流量としている。なお、これに限定されることはなく、貯湯式温水器の仕様に合わせて流量を適宜設定してもよい。
【００４３】
図４に示すように、流量検出装置４４が検出する流量が１Ｌ／ｍｉｎ未満の場合には、低流量であるので、ミスト発生装置９のみへ湯を供給していると判断し、低流量モードを選択し、電動式混合弁５の開度を湯の混合比率が９０％となるように制御する。
【００４４】
また、流量検出装置４４が検出する流量が１Ｌ／ｍｉｎ以上、１０Ｌ／ｍｉｎ未満の場合には、比較的流量があるので、給湯端末８に湯を供給していると判断し、中流量モードを選択し、電動式混合弁５の開度を湯の混合比率が６７％となるように制御する。
【００４５】
また、流量検出装置４４が検出する流量が１０Ｌ／ｍｉｎ以上の場合にも給湯端末８に湯を供給していると判断し、高流量モードを選択し、電動式混合弁５の開度を湯の混合比率が５４％になるように制御する。
【００４６】
以上のように流量に基づいて電動式混合弁５の開度を予め設定された開度に駆動したあとは、サーミスタ４５の検出値に基づいて電動式混合弁５の開度を調節する。
【００４７】
つまり、予め設定された開度に駆動しないで、サーミスタ４５の検出値に基づいて電動式混合弁５の開度を調節するのに比べて、予め設定された開度に駆動してから、サーミスタ４５の検出値に基づいて電動式混合弁５の開度を調節した方が、サーミスタ４５の検出値に基づいて電動式混合弁５を調節する調節量が少なくなるので、より早く設定温度になるように、電動式混合弁５の開度を調節することができる。
【００４８】
このように、流量に基づいて予め設定された開度に電動式混合弁５を駆動することで、駆動した後の温度調節を迅速に行うことができ、ひいては、オーバーシュート現象およびアンダーシュート現象を抑制することができる。なお、図４に示す予め設定している開度は、実験値であり、状況に応じて変更することができる。
【００４９】
また、流量検出装置４４が検出する流量が１Ｌ／ｍｉｎ以下で、かつ６０分間連続して検出した場合には、異常と判断し、リモコン１０の表示画面に、例えば、「水漏れ発生異常」や「蛇口の閉め忘れです」などの表示を行うことにより、ユーザーに注意を促すことができ、さらにブザーなどの報知音を同時に発生させることによって効果的にユーザーに知らせることができる。また、このような時には、電動式混合弁５の開度を水側に全開にするように制御することにより、貯湯タンク１から高温水の出湯を防止することができるので、ひいては湯切れの発生を防止することができる。
【００５０】
以上のように、流量に応じた開度で混合弁を制御することにより、オーバーシュート現象またはアンダーシュート現象の継続時間を最小にすることができ、より快適な温度制御を行うことができる。
【産業上の利用可能性】
【００５１】
以上のように、本発明はヒートポンプ式の貯湯式温水器に限らず、電気、ガス、石油、燃料電池などいずれの方式においても、一つの貯湯タンクから複数の給湯機器に湯水を供給する貯湯式温水器に利用することができる。
【図面の簡単な説明】
【００５２】
【図１】実施の形態１における貯湯式温水器の構成図
【図２】実施の形態１における貯湯式温水器の構成図
【図３】実施の形態１における各モードの駆動速度を示した図
【図４】実施の形態２における各モードの駆動比率を示した図
【図５】従来の実施の形態におけるミスト発生装置の構成図
【符号の説明】
【００５３】
１  貯湯タンク
２  ヒートポンプ
３  出湯管
４  電動式混合弁
５  電動式混合弁
７  浴槽
８  給湯端末（蛇口）
９  ミスト発生装置
１０  リモコン
１１  ミスト通信手段
１２  浴槽通信手段
１３  給湯端末通信手段
２１  水冷媒熱交換器
２２  圧縮機
２３  膨張弁
２４  蒸発器
２５  水ポンプ
３０  マイクロコンピュータ（制御手段）
３１  マイクロコンピュータ（制御手段）
４１  電磁弁（風呂回路遮断手段）
４２  流量検出装置（風呂流量検出手段）
４３  サーミスタ（風呂湯温検出手段）
４４  流量検出装置（給湯端末流量検出手段）
４５  サーミスタ（給湯端末湯温検出手段）
５１  戻り口
【図１】
2008089274.tif 000003
【図２】
2008089274.tif 000004
【図３】
2008089274.tif 000005
【図４】
2008089274.tif 000006
【図５】
2008089274.tif 000007